(57)【要約】【課題】コンパクトに折り畳んで収容することができつつも、使用時は大きな日除け面積を得ることができる日除けを提供する。【解決手段】本発明に係る日除けは、折り畳み可能な日除け板と、該日除け板に取り付けられ、日除け板の折り畳みに支障が生じないように収容配置可能な柄とを備える。また、日除け板は、該日除け板の折り畳みに支障が生じないように外周部に垂下片を備えることが可能であるし、この場合、日除け板に対する垂下片の角度を調整する角度調整手段を備えるのが好ましい。【選択図】図１
2015039561.tif 000002
【特許請求の範囲】
【請求項１】
折り畳み可能な日除け板と、該日除け板に取り付けられ、日除け板の折り畳みに支障が生じないように収容配置可能な柄とを備える日除け。
【請求項２】
日除け板は、二つ折り又は四つ折り可能にするための折り曲げ罫線を備え、柄は、折り曲げ罫線に沿って収容配置可能である請求項１に記載の日除け。
【請求項３】
日除け板は、該日除け板の折り畳みに支障が生じないように外周部に垂下片を備える請求項１又は２に記載の日除け。
【請求項４】
日除け板に対する垂下片の角度を調整する角度調整手段を備える請求項３に記載の日除け。
【発明の詳細な説明】
【技術分野】
【０００１】
本発明は、コンパクトに折り畳んで持ち運びができる日除けに関する。
【背景技術】
【０００２】
この種の日除けとしては、特許文献１〜２に記載されたものが公知である。しかしながら、これらのものは、展開して使用する際の日除け面積が小さく、利便性に乏しいという問題がある。
【先行技術文献】
【特許文献】
【０００３】
【特許文献１】特開２０１１−１２５５１９号公報
【特許文献２】特開２００９−１８１３２号公報
【発明の概要】
【発明が解決しようとする課題】
【０００４】
そこで、本発明は、かかる事情に鑑みてなされたもので、コンパクトに折り畳んで収容することができつつも、使用時は大きな日除け面積を得ることができる日除けを提供することを課題とする。
【課題を解決するための手段】
【０００５】
本発明に係る日除けは、折り畳み可能な日除け板と、該日除け板に取り付けられ、日除け板の折り畳みに支障が生じないように収容配置可能な柄とを備える。
【０００６】
かかる構成によれば、コンパクトに折り畳んで収容することができつつも、使用時は展開された日除け板によって大きな日除け面積を得ることができる。
【０００７】
ここで、本発明に係る日除けの一態様として、日除け板は、二つ折り又は四つ折り可能にするための折り曲げ罫線を備え、柄は、折り曲げ罫線に沿って収容配置可能である構成を採用することができる。
【０００８】
また、本発明に係る日除けの他態様として、日除け板は、該日除け板の折り畳みに支障が生じないように外周部に垂下片を備える構成を採用することができる。
【０００９】
この場合、日除け板に対する垂下片の角度を調整する角度調整手段を備えるようにすることができる。
【発明の効果】
【００１０】
以上の如く、本発明に係る日除けによれば、コンパクトに折り畳んで収容することができつつも、使用時は大きな日除け面積を得ることができる。
【図面の簡単な説明】
【００１１】
【図１】図１は、本発明の一実施形態に係る日除けの斜視図であって、日除け板が展開された使用状態を示す。
【図２】図２（ａ）は、同実施形態に係る日除けの柄の付け根部における要部断面図であって、柄が収められた状態を示し、図２（ｂ）は、柄が引き出された状態を示す。
【図３】図３は、同実施形態に係る日除けの斜視図であって、垂下片が折り畳まれるとともに、柄が収められた状態の斜視図を示す。
【図４】図４（ａ）は、同実施形態に係る日除けの斜視図であって、日除け板が二つ折りに折り畳まれた状態を示し、図４（ｂ）は、日除け板がさらに二つ折り（合計四つ折り）に折り畳まれた状態を示す。
【図５】図５は、同実施形態に係る日除けの斜視図であって、日除け板が展開された使用状態（一部の垂下片は不使用）を示す。
【図６】図６（ａ）は、同実施形態に係る日除けの日除け板に回転自在に設けられた当片における要部平面図であって、当片が日除け板の折り曲げ罫線から外れた状態を示し、図６（ｂ）は、当片が日除け板の折り曲げ罫線を跨いだ状態を示す。
【図７】図７は、本発明の他実施形態に係る日除けの斜視図であって、日除け板が展開された使用状態を示す。
【図８】図８は、同実施形態に係る日除けの柄の付け根部における要部断面図である。
【図９】図９は、本発明の別の実施形態に係る日除けの斜視図であって、日除け板が展開された使用状態を示す。
【図１０】図１０は、本発明のさらに別の実施形態に係る日除けの斜視図であって、日除け板が展開された使用状態を示す。
【図１１】図１１は、同実施形態に係る日除けの日除け板と垂下片との角度調整可能な連結構造の平面図を示す。
【発明を実施するための形態】
【００１２】
以下、本発明に係る日除けの一実施形態について、図１〜図６を参酌して説明する。図１に示すように、本実施形態に係る日除け１は、平坦な日除け板２と、付け根部が日除け板２の中心部に取り付けられた柄３とを備えている。
【００１３】
日除け板２は、日差し及び紫外線を透過しない乃至しにくい材質で形成されており、軽量化の観点から、樹脂板である。日除け板２は、本実施形態においては、長方形状を有する。また、日除け板２は、本実施形態においては、Ｂ５サイズの大きさを有する。
【００１４】
日除け板２は、柄３を収容配置するための収容部としての溝部２０を備えている。溝部２０は、日除け板２の板面から窪んでおり、日除け板２の中心部から日除け板２の外周の一辺（本実施形態では、短辺）の中点にかけて形成されている。
【００１５】
日除け板２は、日除け板２の中心部と日除け板２の外周の各辺の中点とを結ぶ折り曲げ罫線２１〜２３を備えている。より詳しくは、日除け板２は、溝部２０が形成された一辺と直交するそれぞれ一辺（本実施形態では、長辺）の中点と日除け板２の中心部とを結ぶ第一の折り曲げ罫線２１と、溝部２０が形成された一辺と対向する一辺（本実施形態では、短辺）の中点と日除け板２の中心部とを結ぶ第二の折り曲げ罫線２２と、溝部２０が形成された一辺の中点と日除け板２の中心部とを結ぶ第三の折り曲げ罫線２３とを備えている。
【００１６】
第一の折り曲げ罫線２１は、例えば、日除け板２の片面に溝が形成され、当該箇所にて日除け板２が薄肉となり、折り曲げ可能となっているものである。第一の折り曲げ罫線２１は、図１では破線で表されている。すなわち、第一の折り曲げ罫線２１は、日除け板２の裏面側に形成されている。
【００１７】
第二の折り曲げ罫線２２は、例えば、日除け板２の片面に溝が形成され、当該箇所にて日除け板２が薄肉となり、折り曲げ可能となっているものである。第二の折り曲げ罫線２２は、図１では実線で表されている。すなわち、第二の折り曲げ罫線２２は、日除け板２の表面側に形成されている。
【００１８】
第三の折り曲げ罫線２３は、特に溝加工されたものではなく、溝部２０の可撓性を利用したものである。すなわち、第三の折り曲げ罫線２３は、溝部２０の長手方向に沿って溝部２０上に設定された線あるいは溝部２０の両側縁に沿った線である。もちろん、第三の折り曲げ罫線２３は、溝２０あるいはその両側縁に溝が付与されてより折り曲げやすくなるようにしてもよい。
【００１９】
第一〜第三の折り曲げ罫線２１〜２３によって区画された日除け板２の各板片の外端には、垂下片２４が接続されている。垂下片２４は、日除け板２と一体に形成されており、例えば、日除け板２の両面に溝が形成されることで、日除け板２の表面にも裏面にも折り曲げが可能である。垂下片２４は、第一〜第三の折り曲げ罫線２１〜２３を跨がないよう、日除け板２の外周の各辺にそれぞれ二つ横並びに形成されている。
【００２０】
柄３は、傘等の柄に用いられる伸縮棒の構造を有している。図２に示すように、柄３の付け根部３０は、軸回りの回転と該軸と直交する軸回りの回転との直交二軸での回転が可能な自在継手構造となっており、溝部２０の端部端面に例えばかしめにより固定されている。柄３は、縮んだ状態での長さが溝部２０内に収まるような長さとなっている。
【００２１】
以上の構成からなる日除け１は、図３〜図４に示されるようにして折り畳まれる。すなわち、まず図３に示すように、各垂下片２４が日除け板２の裏面に折り畳まれ、柄３が溝部２０内に収容配置される。そして、第一の折り曲げ罫線２１によって日除け板２が図４（ａ）に示すように二つ折りに折り畳まれ、さらに、第二の折り曲げ罫線２２及び第三の折り曲げ罫線２３（溝部２０）によって日除け板２が図４（ｂ）に示すようにさらに二つ折り（合計四つ折り）に折り畳まれる。これにより、日除け１は、Ｂ５の１／４のサイズに折り畳まれ、コンパクトになってカバンやバッグに収容可能となる。
【００２２】
このように、本実施形態に係る日除け１は、収容時はコンパクトに折り畳むことができつつ、使用時に大きな日除け面積を得ることができる。
【００２３】
なお、垂下片２４の使い方は様々である。図１に示すように全て垂らしてもよいし、図５に示すように、一部は日除け板２の表面に折り畳んで不使用状態にしてもよい。
【００２４】
また、日除け板２が展開された状態で、折り曲げ罫線（主として第一の折り曲げ罫線２１）によって日除け板２が山折りに折れ曲がってしまうことが支障があるようであれば、図６に示すような、当片２５を設けるようにすればよい。この当片２５は、例えば鳩目２６によって日除け板２の裏面に回転自在に取り付けられており、図６（ｂ）に示すように、この当片２５を第一の折り曲げ罫線２１を跨ぐように回転させると、第一の折り曲げ罫線２１によって日除け板２が折れ曲がることが規制される。これにより、日除け板２がフラットな状態を維持することができる。
【００２５】
なお、本発明に係る日除けは、上記実施形態に限定されるものではなく、本発明の要旨を逸脱しない範囲で種々の変更が可能である。
【００２６】
例えば、図７及び図８に示すように、溝部２０がなくなり、第一及び第二の折り曲げ罫線２１，２２が日除け板２の表面に形成されるようにすれば、図６のような当片２５が設けられなくても、日除け板２の展開時の平坦状態を確保することができる。なお、この場合、垂下片２４が日除け板２の表面に折り畳まれた状態で、日除け板２が四つ折りに折り畳まれ、柄３はその端縁に沿って収容配置された格好となる。
【００２７】
また、日除け板２は、四つ折りではなく、図９に示すように二つ折りであってもよい。
【００２８】
また、上記実施形態では、垂下片２４は、日除け板２から自重により垂れ下がるようになっているが、これに限定されるものではない。日除け板２に対する垂下片２４の角度を調整する機能を備えていてもよい。これにより、垂下片２４は、図１０に示すように、日除け板２に対して下方側で且つ鋭角に折れ曲がる態様や、日除け板２と同じ平面上に展開される態様や、日除け板２に対して上方側で且つ鋭角に折れ曲がる態様といった各種の姿勢を取ることができる。なお、角度調整機能は、図６に示す当片２５の回転角度を変更することで実現できるし、あるいは、図１１に示すように、日除け板２の端縁に形成された筒状部と垂下片２４の端縁に形成された筒状部とにヒンジ軸２７が挿通された、いわゆる平蝶番のような構造であってもよい。
【００２９】
また、日除け板２の展開時の大きさ（日除け板２の折り畳んだ状態での大きさ）は、用途に応じて適宜選択することができる。
【００３０】
また、上記実施形態では、柄３は、日除け板２の中心部に取り付けられている。しかしながら、これに限定されない。柄３は、日除け板２の中心部から端部寄りの位置に取り付けられていてもよい。
【符号の説明】
【００３１】
１…日除け、２…日除け板、２０…溝部、２１…第一の折り曲げ罫線、２２…第二の折り曲げ罫線、２３…第三の折り曲げ罫線、２４…垂下片、２５…当板、２６…鳩目、２７…ヒンジ軸、３…柄、３０…付け根部
【図１】
2015039561.tif 000003
【図２】
2015039561.tif 000004
【図３】
2015039561.tif 000005
【図４】
2015039561.tif 000006
【図５】
2015039561.tif 000007
【図６】
2015039561.tif 000008
【図７】
2015039561.tif 000009
【図８】
2015039561.tif 000010
【図９】
2015039561.tif 000011
【図１０】
2015039561.tif 000012
【図１１】
2015039561.tif 000013